(57)【要約】【課題】耐衝撃性と共に電子部品に対して静電気による悪影響を与えない包装容器を提供する。【解決手段】容器本体２、３及び弾性フィルム９、１０の両方を静電気に対する導電性を有するプラスチックで形成したため、輸送中の振動により、電子部品１１と弾性フィルム９、１０との間に静電気が発生しても、その電荷は弾性フィルム９、１０を介して両方の容器本体２、３に伝わり、容器本体２、３から外部に逃げる。そのため電子部品１１が静電気による悪影響を受けるおそれがない。【選択図】        図３
2019189262.tif 000002
【特許請求の範囲】
【請求項１】
それぞれ上方に開口部を有する容器形状で、開口部の周囲にフランジが一体形成され、対向するフランジ同士がヒンジを介して一体的に連結された一対の容器本体と、
該容器本体の各開口部を周縁がフランジに結合された状態で覆う弾性フィルムとから構成され、
一方の容器本体の弾性フィルム上に電子部品を載せた状態で、他方の容器本体をヒンジから折り曲げて一方の容器本体に覆い被せ、電子部品を一対の弾性フィルム間で挟んで保持する包装容器であって、
前記容器本体及び弾性フィルムの両方を静電気に対する導電性を有するプラスチックで形成し、弾性フィルムの周縁と容器本体のフランジとを溶着により結合したことを特徴とする包装容器。
【請求項２】
静電気に対する導電性を有するプラスチックが、導電性物質の粉末を練り込んだものであることを特徴とする請求項１記載の包装容器。
【発明の詳細な説明】
【技術分野】
【０００１】
本発明は耐衝撃及び耐静電性を有する包装容器に関する。
【背景技術】
【０００２】
それぞれ上部に開口部を有し互いにヒンジを介して連結された一対の容器本体から成るプラスチック製の包装容器が知られている。両方の容器本体の開口部にはプラスチック製の弾性フィルムが貼られ、一方の容器本体の弾性フィルム上に品物を載せて、他方の容器本体をヒンジから折り曲げて一方の容器本体に覆い被せ、品物を一対の弾性フィルムの間で挟んで保持する包装容器である。
【０００３】
品物は容器本体により守られた空間の中で一対の弾性フィルムにより挟まれた状態で保持されるため、品物に対する緩衝機能が高く、包装容器に衝撃が加わっても内部の品物は保護される（例えば、特許文献１参照）
【先行技術文献】
【特許文献】
【０００４】
【特許文献１】実用新案登録第３１４５８６４号公報
【発明の概要】
【発明が解決しようとする課題】
【０００５】
しかしながら、このような関連技術にあっては、品物に対する緩衝機能が高く、衝撃による品物の破損は回避できるものの、品物が各種電子機器に使用されるような電子部品の場合は、輸送中にプラスチック製の包装容器に発生した静電気により電子部品が悪影響を受けるおそれがある。
【０００６】
本発明は、このような関連技術に着目してなされたものであり、耐衝撃性と共に電子部品に対して静電気による悪影響を与えない包装容器を提供することを目的としている。
【課題を解決するための手段】
【０００７】
本発明の第１の技術的側面によれば、それぞれ上方に開口部を有する容器形状で、開口部の周囲にフランジが一体形成され、対向するフランジ同士がヒンジを介して一体的に連結された一対の容器本体と、該容器本体の各開口部を周縁がフランジに結合された状態で覆う弾性フィルムとから構成され、一方の容器本体の弾性フィルム上に電子部品を載せた状態で、他方の容器本体をヒンジから折り曲げて一方の容器本体に覆い被せ、電子部品を一対の弾性フィルム間で挟んで保持する包装容器であって、前記容器本体及び弾性フィルムの両方を静電気に対する導電性を有するプラスチックで形成し、弾性フィルムの周縁と容器本体のフランジとを溶着により結合したことを特徴とする。
【０００８】
本発明の第２の技術的側面によれば、静電気に対する導電性を有するプラスチックが、導電性物質の粉末を練り込んだものであることを特徴とする。
【発明の効果】
【０００９】
本発明の第１の技術的側面によれば、容器本体及び弾性フィルムの両方を静電気に対する導電性を有するプラスチックで形成したため、輸送中の振動により、電子部品と弾性フィルムとの間に静電気が発生しても、その電荷は弾性フィルムを介して両方の容器本体に伝わり、容器本体から外部に逃げる。そのため電子部品が静電気による悪影響を受けるおそれがない。
【００１０】
弾性フィルムと容器本体とが溶着により結合されているため、弾性フィルムと容器本体間の導電性は良好で、弾性フィルムからの静電気を確実に容器本体側へ流すことができる。
【００１１】
本発明の第２の技術的側面によれば、静電気に対する導電性を有するプラスチックが導電性物質の粉末を練り込んだものであるため、他の導電性物質を積層したりコーティングしたりする必要がなく、容器本体及び弾性フィルムの形成が容易である。
【図面の簡単な説明】
【００１２】
【図１】包装容器を示す全体図。
【図２】容器本体と弾性フィルムを示す断面図。
【図３】電子部品を保持した状態を示す包装容器の断面図。
【発明を実施するための形態】
【００１３】
図１〜図３は、本発明の好適な実施形態を示す図である。
【００１４】
包装容器１は一対の容器本体２、３を備えている。容器本体２、３はＰＥＴ樹脂による真空成形品で、それぞれ上方に開口部４、５を有する容器形状をしている。開口部４、５の周囲にはフランジ６、７が一体形成され、対向するフランジ６、７同士はヒンジ８を介して一体的に連結されている。
【００１５】
容器本体２、３のフランジ６、７にはそれぞれポリウレタン製の弾性フィルム９、１０の周縁部が溶着され、各開口部４、５はこの弾性フィルム９、１０により覆われた状態となっている。
【００１６】
弾性フィルム９、１０の材料としては、ポリウレタン系熱可塑性エラストマー、ポリアミド、エチレン−酢酸ビニル共重合体などが適している。
【００１７】
また容器本体２、３と弾性フィルム９、１０を形成するプラスチックには、金属やカーボンなど導電性物質の粉末が混練されている。従って、容器本体２、３及び弾性フィルム９、１０は静電気に対する導電性を有している。
【００１８】
この包装容器１を使用する際は、まず一方の容器本体２の弾性フィルム９上に電子部品１１を載せる。電子部品１１とは、半導体素子（シリコンダイオード、整流素子、トランジスタ、サイリスタ、光電変換素子、その他の半導体素子）であると共に、それらにより構成された電子基板を意味する。
【００１９】
その次に、他方の容器本体３をヒンジ８から折り曲げて一方の容器本体２に対して覆い被せ、図示せぬクリップにより両容器本体２、３を一体化する。そうすることにより、電子部品１１は２つの容器本体２、３により形成された空間内で一対の弾性フィルム９、１０により挟まれ、空中に浮いた状態で保持される。従って、輸送中に外部から衝撃が加わっても、その衝撃は弾性フィルム９、１０により緩衝されて電子部品１１に伝わらない。
【００２０】
また輸送中の振動により、電子部品１１と弾性フィルム９、１０との間に静電気が発生しても、弾性フィルム９、１０及び容器本体２、３は静電気に対する導電性を有しているため、静電気は弾性フィルム９、１０を介して両方の容器本体２、３に伝わり、容器本体２、３から外部に逃げる。そのため電子部品１１が静電気による悪影響を受けるおそれがない。弾性フィルム９、１０と容器本体２、３とが溶着により結合されているため、弾性フィルム９、１０と容器本体２、３間の導電性は良好で、弾性フィルム９、１０からの静電気を確実に容器本体２、３側へ流すことができる。
【００２１】
尚、弾性フィルム９、１０と容器本体２、３の導電性により、ほとんどの電子部品１１は静電気に対して保護できるが、ほんの微小な静電気でも悪影響を受ける繊細な電子部品の場合は、弾性フィルム９、１０及び容器本体２、３を形成するプラスチックに導電性物質に代えて帯電防止剤を混練する。帯電防止剤としては、一般的なアミン系、アミド系などのノニオン系界面活性剤が適している。
【符号の説明】
【００２２】
１  包装容器
２  容器本体（一方）
３  容器本体（他方）
４  開口部（一方）
５  開口部（他方）
６  フランジ（一方）
７  フランジ（他方）
８  ヒンジ
９  弾性フィルム（一方）
１０  弾性フィルム（他方）
１１  電子部品
【図１】
2019189262.tif 000003
【図２】
2019189262.tif 000004
【図３】
2019189262.tif 000005